(57)【要約】【課題】  点検整備において球皿に排出された遊技球を簡単に且つ手間なく回収する。【解決手段】  固定保持用の外枠２０と、この外枠の開放空間を覆って装着される前枠３０と、この前枠の前面側に入賞装置を備えて取り付けられた遊技盤３５と、遊技盤の前面の遊技領域ＰＡ内に遊技球を発射する発射ハンドル４５と、遊技球が遊技領域ＰＡ内で入賞したときに払い出される遊技球を貯留する球皿装置４０，５０とを有してパチンコ機ＰＭが構成され、外枠２０に前枠３０が装着された状態で、前枠３０より下側において前面に露出する幕板部２５が外枠に設けられている。幕板部２５に取付凹部２２６が形成されており、球皿から排出された遊技球を受容するとともにこの排出空間を通って遊技機の背面側に排出させる排出位置と排出空間を前面側から塞ぐ閉塞位置とに移動可能な球排出ガイド部材９１が取付凹部２２６に位置して幕板部２５に取り付けられている。【選択図】  図５
2005287858.tif 000002
【特許請求の範囲】
【請求項１】
固定保持用の外枠と、前記外枠の開放空間を覆って装着される前枠と、前記前枠の前面側に入賞装置を備えて取り付けられた遊技盤と、前記前枠に取り付けられて前記遊技盤の前面の遊技領域内に遊技球を発射する発射装置と、前記前枠に取り付けられて前記発射装置から発射された遊技球が前記遊技領域内で入賞したときに払い出される遊技球を貯留する球皿とを有して構成される弾球遊技機において、
前記外枠に前記開放空間を覆って前記前枠が装着された状態で、前記前枠より下側において前面に露出する幕板部が前記外枠に設けられ、前記幕板部に排出空間が形成されており、
左右いずれか一方のヒンジを中心として前後に揺動して前記排出空間を開閉自在に覆う球排出ガイド部材が前記排出空間に位置して前記幕板に取り付けられており、
前記球排出ガイド部材が前記ヒンジを中心として前方に揺動開放されたときに前記球皿から排出された遊技球を受容するとともに遊技機の背面側に排出させるように構成されていることを特徴とする弾球遊技機。
【請求項２】
前記開閉扉は弾球遊技機の点検、整備等のときに前方に揺動開放されて使用され、点検、整備時に前記球皿に排出された遊技球を前記球排出ガイド部材を介して弾球遊技機の背面側に排出させるように構成されていることを特徴とする請求項１に記載の弾球遊技機。
【請求項３】
前記開閉扉は遊技中に後方に揺動閉止されて前記排出孔を塞ぎ、且つ遊技中において前記開閉扉を揺動開放させることができないようにロック保持されることを特徴とする請求項１に記載の弾球遊技機。
【発明の詳細な説明】
【技術分野】
【０００１】
本発明は、固定保持用の外枠の開放空間を覆って前枠が装着され、この前枠の前面側に入賞装置を備えて遊技盤が取り付けられ、この遊技盤の前面の遊技領域内に遊技球を発射する発射装置が前枠に設けられ、発射装置から発射された遊技球が遊技領域内で入賞したときに払い出される遊技球を球皿に貯留するように構成される弾球遊技機に関する。
【背景技術】
【０００２】
このような弾球遊技機として、例えば、特許文献１に開示のパチンコ機があり、一般的にこのようなパチンコ機が遊技ホール内に多数整列配置されて遊技に供される。遊技ホールにおいて遊技者は、多数整列配置されたパチンコ機のうちから任意のパチンコ機を選択し、遊技球を購入した後にこの遊技球を発射装置により遊技領域内に発射して、遊技領域内で遊技球を入賞装置に入賞させる遊技を楽しむようになっている。この遊技において、入賞装置に遊技球が入賞するのに応じて所定の数の遊技球が賞球として球皿に排出されて貯留されるようになっており、遊技者は球皿に貯留した球を遊技ホールが提供する景品と交換できるようになっている。
【０００３】
一方、遊技ホールにおいては各パチンコ機について定期的な点検整備を行い、パチンコ機を良好な状態に保って遊技者が不都合、不便なく遊技を行えるようにしている。このような点検整備に際しては、遊技領域内の入賞装置に遊技球を投入して賞球の排出が正常に行われるか否かの点検を行ったり、パチンコ機の裏面に設けられた賞球排出機構を作動させてこれらが正常に作動するか否かの点検を行ったりする。
【０００４】
【特許文献１】特許第３２５６８５５号公報
【発明の開示】
【発明が解決しようとする課題】
【０００５】
ところで、上記のような遊技ホールでの点検整備に際して遊技球が球皿に排出されるが、このようにして球皿に貯留される遊技球は賞球ではないため、点検整備が終了後に球皿から回収されて球皿を空にして実際の遊技が可能な状態にする。このとき、遊技ホール内には多数のパチンコ機が配設されており、これら多数のパチンコ機の点検整備の都度、各パチンコ機毎について球皿に排出された遊技球を回収する作業が必要であり、点検整備作業が繁雑で時間がかかる作業となっているという問題がある。
【０００６】
本発明はこのような問題に鑑みたもので、点検整備において球皿に排出された遊技球を簡単に且つ手間なく回収できるような構成の弾球遊技機（パチンコ機）を提供することを目的とする。
【課題を解決するための手段】
【０００７】
このようなことから、本発明に係る弾球遊技機は、固定保持用の外枠と、この外枠の開放空間を覆って装着される前枠と、この前枠の前面側に入賞装置を備えて取り付けられた遊技盤と、前枠に取り付けられて遊技盤の前面の遊技領域内に遊技球を発射する発射装置と、前枠に取り付けられて発射装置から発射された遊技球が遊技領域内で入賞したときに払い出される遊技球を貯留する球皿とを有して構成され、外枠に開放空間を覆って前枠が装着された状態で、前枠より下側において前面に露出する幕板部が外枠に設けられている。さらに、幕板部に排出空間（例えば、実施形態における取付凹部２２６）が形成されており、左右いずれか一方のヒンジを中心として前後に揺動して排出空間を開閉自在に覆う球排出ガイド部材が排出空間に位置して幕板に取り付けられており、球排出ガイド部材がヒンジを中心として前方に揺動開放されたときに球皿から排出された遊技球を受容するとともに遊技機の背面側に排出させるように構成されている。
【０００８】
このような構成の弾球遊技機において、上記球排出ガイド部材は、弾球遊技機の点検、整備等のときに揺動開放されて排出位置に位置して使用され、点検、整備時に球皿に排出された遊技球を球排出ガイド部材を介して弾球遊技機の背面側に排出させ、遊技中には揺動閉止されて閉塞位置に位置して使用され、且つ遊技中において球排出ガイド部材を移動させることができないようにロック保持される。
【発明の効果】
【０００９】
上記構成の本発明に係る弾球遊技機によれば、幕板部の排出空間に位置して、排出位置と閉塞位置とに揺動開閉可能な球排出ガイド部材が取り付けられているので、弾球遊技機の点検整備等に際しては、球排出ガイド部材を排出位置に位置させれば、球皿に排出される遊技球を球皿から球排出ガイド部材を介して遊技機の背面側に排出させることができ、遊技球の回収が簡単且つ容易となる。このため、点検整備において球皿に排出された遊技球を簡単に且つ手間なく回収でき、点検整備作業の効率化を図ることができる。また、遊技中においては、球排出ガイド部材を閉塞位置に位置させてロック保持すれば、球排出ガイド部材が邪魔になることもなく従来と全く同様の遊技を何の支障もなく行うことができる。
【発明を実施するための最良の形態】
【００１０】
以下、図面を参照して本発明の好ましい実施形態について説明する。まず、図１〜図３に遊技ホールにおけるパチンコ機ＰＭの配置構成を示しており、遊技ホール内においては、複数列に並んで多数のパチンコ機ＰＭが配設されて遊技に供されるようになっている。このようにパチンコ機ＰＭを整列配置する構造物を一般的に遊技島と称しており、パチンコ機ＰＭを背中合わせに２列に並んで配置する両列島形式と、壁に背を向けるように１列に並んで配置する壁島形式とがあるが、ここでは両列島形式の遊技島構造を示している。
【００１１】
この両列遊技島構造は、背中合わせに配置されて間に球回収空間５を形成する一対の島構造体１０，１０を有し、各島構造体１０は、天井側から順に配設された、島幕板１１と、呼び出しランプ１２ａを有したランプ板１２と、パチンコ機ＰＭを横に１列に並んで配設する保持枠１３と、球箱載せ台となる天板１４と、腰板１５と、床面に接する巾木１６とからなり、上下に延びた状態に構成される。遊技ホール内には、このような両列遊技島構造が複数列並んで配設され、さらに、壁際には壁遊技島構造が配設されており、各遊技島構造の間に遊技者等が通る通路スペース１が形成される。
【００１２】
なお、通路スペース１の床面には、各パチンコ機ＰＭの前側に位置して支柱１８により支持されたシート１７が設けられており、遊技者はシート１７に座ってその前面のパチンコ機ＰＭを操作して遊技を行うようになっている。また、球回収空間５内には、後述するように遊技中において入賞せずにアウト口に入り込んだアウト球をホール側に回収するための、回収通路６が設けられている。この回収通路６は各パチンコ機ＰＭから排出された球Ｂ（アウト球）を一方の側に集めて回収できるように、遊技島構造の列が延びる方向のいずれか一方側に傾斜しており、回収通路６内に落下した球Ｂがこの傾斜に沿っていずれか一方側に転がって集まるようになっている。
【００１３】
次に、島構造体１０の保持枠１３に保持されて取り付けられるパチンコ機ＰＭの構成について簡単に説明する。パチンコ機ＰＭは、外郭方形枠サイズに構成されて縦向きの固定保持枠をなす外枠２０の前面開口に、これに合わせた方形枠サイズに構成されて開閉搭載用の前枠３０が前面左側のヒンジ機構３１により横開き開閉および着脱が可能に取り付けられ、施錠装置３２により常には外枠２０の前面を覆った閉止状態で保持される。
【００１４】
上記外枠２０は、木材や樹脂等で成形加工された複数本の定形尺の枠部材すなわち上下の枠板２１，２４および左右の枠板２２，２３を直角に枠組み連結するとともに、各隅角部に補強金具を固定して構成されており、保持枠１３内に固定される。下枠板２４の前面は左右の枠板２２，２３より前方に突出し、その突出部の上面に位置するとともに左右の枠板２２，２３の前面に連結されて左右に延びる幕板２５が取り付けられている。
【００１５】
前枠３０の前面上部側には、透明アクリル板やガラス板を有したガラス扉３３が左端部のヒンジ（図示せず）を介して横開きおよび着脱が自在に取り付けられ、施錠装置３２により常には前枠３０の前面を覆う閉止状態に保持される。ガラス扉３３の背後に位置する前枠上部には、遊技盤３５を着脱自在に収容する収容枠が設けられており、この収容枠に立設姿勢で係止保持された遊技盤３５がガラス扉３３を通して視認されるようになっている。遊技盤３５は、所定板厚の積層合板の表面にセルを貼り付けてルーター加工した化粧板を基板とし、円弧状のレール３６に囲まれて略円形状の遊技領域ＰＡが形成されている。遊技領域ＰＡには多数本の遊技釘（図示せず）や風車とともに各種の入賞具３８、遊技の展開状況に応じた図柄を表示させる画像表示装置３７、サイドランプ等の遊技構成部品が取り付けられ、下端部にアウト口３９が設けられている。
【００１６】
前枠３０の前面における上記ガラス扉３３の下側には、上球皿装置４０が左端のヒンジ機構により横開きおよび着脱可能に取り付けられ、常にはガラス扉３３の下側において前枠３０の前面を覆った状態で係止保持されている。この上球皿装置４０には、前方に突出して形成され、遊技中に払い出される入賞球を受容して貯留する上球皿部４１が設けられている。なお、詳細図示しないが、上球皿部４１に前面側が覆われた前枠２の下部領域には遊技補助盤と称される補助機構部が形成されており、この遊技補助盤の各部に、遊技盤３５の遊技領域ＰＡ内に遊技球を発射する発射装置や、スピーカ等が設けられている。
【００１７】
さらに、図４に示すように、前枠３０の前面における上球皿装置４０の下側に下球皿装置５０が前方に突出して設けられている。この下球皿装置５０は、上球皿部４１内に貯留された入賞球がオーバーフローしたときや、遊技者が上球皿装置４０の球排出レバー４２（図１参照）を操作して上球皿部４１から入賞球が排出されたときに内部に形成された球皿通路を介して送られてくる入賞球を受容して貯留する下球皿部５１と、下球皿部５１の右側に位置して遊技球の発射操作を行う発射ハンドル４５と、下球皿部５１の左側に位置する灰皿５８とから構成されている。
【００１８】
図８から分かるように、下球皿部５１内の底面には球排出孔５１ａが形成されており、この球排出孔５１ａを下面側から開閉自在に覆う球抜き蓋５３が左右にスライド移動可能に取り付けられている。球抜き蓋５３は図示しないバネ等により常時は球排出孔５１ａを閉止する位置に位置しており、球抜き蓋５３の前部に突出して設けられた操作レバー５３ａを操作することにより球抜き蓋５３をスライド移動させて球排出孔５１ａを開放させ、下球皿部５１内に貯留された遊技球を下方に落下させて排出させることができるように構成されている。なお、下球皿装置５０の下側に外枠２０を構成する上記幕板２５が前面側に露出して位置している。
【００１９】
前枠３０の裏面側には、球貯留タンク６１、球貯留タンク６１から供給された遊技球を落下移動させつつ整列させるタンクレール６２、遊技盤３３における入賞状態等に基づいてタンクレール６２を通ってタンク６１から供給される遊技球を賞球として払い出す球払出装置６３、遊技中での各種制御を行うための電源基板６４、主基板６５、画像表示装置３７の裏面側に位置して画像表示制御を行う画像制御基板６６等が図示のように配設されている。なお、図示していないが、内部には、球払出装置６３から払い出された賞球を上球皿部４１に導く賞球通路や、遊技中において遊技盤３５の入賞具３８に入賞することなく落下してアウト口３９に入り込んだ遊技球をパチンコ機ＰＭの背面側に導くアウト球通路が設けられている。このアウト球通路を導かれたアウト球Ｂはパチンコ機ＰＭの背面に開口したアウト球排出口３９ａから球回収空間５に排出され、回収通路６上に落下し、回収通路６上を転がって移動して、回収される。
【００２０】
以上の構成のパチンコ機ＰＭにおいて、幕板２５に本発明に係る球排出ガイド装置９０が設けられており、この装置９０について、図４〜図８を参照して説明する。
【００２１】
このガイド装置９０は球排出ガイド部材９１を有して構成されるが、球排出ガイド部材９１を取り付けるため、幕板２５における左右方向中央に上面側に開口してＵ字状に取付凹部２２６が形成されるとともにこの取付凹部２２６内に矩形枠２２８が取り付けられて前後に貫通する排出空間が形成されている。この取付凹部２２６の後側にはこれに一体に繋がって後方に延びるガイド壁２２７が設けられている。ガイド壁２２７は、取付凹部２２６の左右および底面に繋がって後方に延びる左右側壁部２２７ａ，２２７ｂおよび底壁部２２７ｃからなり、これら壁部２２７ａ，２２７ｂ，２２７ｃに囲まれたＵ字状の溝からなる排出空間２２７ｄが取付凹部２２６の排出空間と繋がっている。
【００２２】
矩形枠２２８は、上板部２２８ａ、左右板部２２８ｂ，２２８ｃおよび下板部２２８ｄから矩形枠状に形成されて取付凹部２２６内に固定されている。このとき、左右板部２２８ｂ，２２８ｃの上部後端に外側に直角に折れ曲がって延びた当て板部２２８ｅ，２２８ｅが設けられており、これら当て板部２２８ｅ，２２８ｅが幕板２５の後面に当接して取付位置決めがなされる。
【００２３】
球排出ガイド部材９１は、前面壁９２、囲み壁９３，底面壁９４および側面枠９５を有して構成され、取付凹部１２６に取り付けられた矩形枠２２８内に取り付けられる。このとき、前面壁９２の左端部に形成された肉厚部９６の上下端面にそれぞれ上下外方に突出して形成されたピン部９６ａ，９６ａが、矩形枠２２８の上下板部２２８ａ，２２８ｄの左端部に形成された枢結孔２２８ｆ，２２８ｆに嵌合し、球排出ガイド部材９１は枢結孔２２８ｆ，２２８ｆに嵌合したピン部９６ａ，９６ａを中心として前後に揺動可能である。このような揺動を可能とするため、囲み壁９３は円筒状に形成されており、底面壁９４は扇形をしている。なお、側面枠９５は前面壁９２の左端部上部と囲み壁９３の後端部上部とを繋ぐ板状に形成されており、下側が開放している。このため、前面壁９２、囲み壁９３，底面壁９４および側面枠９５に囲まれて上面側が開口した受容空間９１ａが形成されるのであるが、この受容空間９１ａは側面枠９５の下側において側面側外方に開口している。
【００２４】
このように前後揺動可能に取り付けられた球排出ガイド部材９１を最も前側に揺動させた位置にあるときの状態を図７および図８に示しており、球排出ガイド部材９１を最も後に押し込んだ位置にあるときの状態を図４および図６に示している。なお、球排出ガイド部材９１が中間位置にある状態を図５に示している。ここで、図７および図８に示すように最も前側に揺動させた状態を球排出ガイド部材９１が排出位置にあると称し、図４および図６に示すように最も押し込んだ状態を球排出ガイド部材９１が閉塞位置にあると称する。なお、球排出ガイド部材９１が排出位置に位置した状態で、球排出部材９１の受容空間９１ａは幕板２５の前面側に位置して上面側に開口し、側面枠９５の下側開口を介して排出空間２２７ｄと繋がる。このように排出位置に位置した状態で底面壁９４は後方に向かって下がるテーパ面に形成されている。
【００２５】
図５〜図７に示すように、球排出ガイド部材９１の囲み壁９３の後端中央には外方に突出したストッパ突起９３ａが形成されており、球排出ガイド部材９１が前方に揺動されるときにストッパ突起９３ａが矩形枠２２８の右板部２２８ｃの後端面と当接して排出位置に位置し、これ以上前には前に揺動できなくなる。ここで、矩形枠２２８の上下板部２２８ａ，２２８ｄの右端部には小孔２２８ｇ，２２８ｇ（但し、下板部２２８ｄの小孔は図示せず）が形成されるとともに、球排出ガイド部材９１の囲い壁９３の上下端面後部には上下方に突出する小突起９３ｂ，９３ｂ（但し、下端面側の小突起は図示せず）が形成されており、球排出ガイド部材９１が排出位置に位置した状態で、小突起９３ｂ，９３ｂが小孔２２８ｇ，２２８ｇ内に入り込んで位置決め保持する。
【００２６】
このように排出位置に位置した状態では、図８に示すように、球排出ガイド部材９１の受容空間９１ａが球排出孔５１ａの下方に位置し、球排出孔５１ａから排出された遊技球は受容空間９１ａ内に落下する。前述のように、受容空間９１ａは側面枠９５の下側開口を介して排出空間２２７ｄと繋がるため、受容空間９１ａ内に落下した遊技球は後方に向かって下がるテーパを有した底面壁９４の上を後方に転がり移動しい排出空間２２７ｄ内に入り込む。そして、排出空間２２７ｄを形成する底壁部２２７ｃは後方に下がるテーパを有しているため、遊技球はこのテーパに沿って後方に転がって、パチンコ機ＰＭの背面側に排出される。
【００２７】
排出位置に位置した球排出ガイド部材９１の前面壁９２を後方に押すと、小孔２２８ｇから小突起９３ｂが抜け出し、球排出ガイド部材９１を枢結孔２２８ｆ，２２８ｆに嵌合したピン部９６ａ，９６ａを中心として後方に揺動させることができる。このようにして球排出ガイド部材９１を後方に揺動させると、前面壁９２が取付凹部２２６を前面側から覆う閉塞位置まで揺動する。なおこの状態で、前面壁９２の前面は幕板２５の前面と同一面上に位置する。
【００２８】
球排出ガイド部材９１の前面壁９２にはロックキー９７が図示のように取り付けられており、前面側キー穴にキーを差し込んで回動させると、前面壁９２の後側（受容空間９１ａ内）に位置してロックキー９７に取り付けられたロック板９７ａを、図４において破線で示す解錠位置と二点鎖線で示す施錠位置とに回動移動させることができるようになっている。上述のように球排出ガイド部材９１を排出位置に位置させたり、前後揺動させたりするときにはロック板９７ａを解錠位置に位置させておく。一方、球排出ガイド部材９１を閉塞位置に揺動させた状態において、ロック板９７ａを施錠位置に移動させると、図６に示すようにロック板９７ａの上端がカバー枠２２８の上板部２２８ａの後側において上方に突出する。この状態では、ロック板９７ａの上端が上板部２２８ａの後面に当接して球排出ガイド部材９１を前方に揺動させることができず、球排出ガイド部材９１は閉塞位置でロック保持される。
【００２９】
以上の構成のパチンコ機ＰＭにおいて、遊技ホール側における点検整備等に際しては、球排出ガイド部材９１を前方に引き出して排出位置まで揺動させる。そして、入賞装置３８等に遊技球を投入して賞球の払出が正常に行えるか等の点検を行ったり、試し打ちをして正常な作動を行うかの点検を行ったりすると、上球皿部４１内に遊技球が払い出されて貯留される。このように貯留された遊技球は、遊技ホールを開店して遊技に供する前に回収する必要があるため、上球皿部４１内に貯まった遊技球を上球皿装置４０の排出レバー４２を操作して下球皿部５１内に送り出し、さらに、下球皿部５１内に貯まった遊技球を、操作レバー５３ａを操作して球排出孔５１ａから排出させる。このように球排出孔５１ａから排出された遊技球は排出位置に位置した球排出ガイド部材９１の受容空間９１ａ内に落下し、後方に向かって下がるテーパを有した底面壁９４の上を後方に転がり移動し、側面枠９５の下側開口を介して排出空間２２７ｄ内に入り込み、ガイド壁２２７の底壁部２２７ｃ上を後方に転がり移動してパチンコ機ＰＭの背面側に確実に排出される。そして、図３に示すように、回収通路６上に落下し、回収通路６上を転がって移動して回収される。このため、球の回収作業が簡単で楽な作業となる。すなわち、点検整備において球皿に排出された遊技球を簡単に且つ手間なく回収でき、点検整備作業の効率化を図ることができる。
【００３０】
なお、第１実施形態の場合と同様に、点検整備を行うときには、上球皿装置４０の排出レバー４２を開放側に保持し、下球皿装置５０の操作レバー５３ａも開放側に保持しておくのが好ましく、これにより点検整備時に球皿に排出される遊技球は全て背面側に自動的に排出され、球の回収作業が全く不要となる。また、長時間にわたる試し打ちを行って正常な作動の点検、出球率の点検等を行うときには、下球皿装置５０の操作レバー５３ａのみを開放側に保持しておけば、下球皿部５１内に遊技球が溢れることがなく、連続的な点検が可能となる。
【００３１】
このようにして点検整備が完了し、且つ球の回収作業が完了すると、球排出ガイド部材９１は後方に押し込まれて閉塞位置に揺動移動し、取付凹部２６は前面壁９２により閉塞され、パチンコ機ＰＭは遊技に供される状態となる。これにより、遊技中には球排出ガイド部材９１が前方に突出して邪魔になることもなく、従来と同一の遊技状態とすることができる。なお、遊技に供されるときには、ロックキー９７にキーを差し込んでロック板９７ａを施錠位置に回動させ、球排出ガイド部材９１を引き出せなくする。
【００３２】
なお、以上においては上球皿装置４０と下球皿装置５０とを有したパチンコ機を例にして示したが、一体型の一つの球皿を有したパチンコ機についても本発明を適用できることは無論である。また、上記実施形態においては幕板２５に上方に開放した取付凹部２２６を形成し、ここに球排出ガイド部材９１を前後スライド移動可能に取り付けているが、幕板２５に前後に貫通する開孔を形成し、この開孔内に球排出ガイド部材を前後スライド移動可能に配設しても良い。さらに、ロックキーの形式および配設位置は上述のものに限られるものではない。
【図面の簡単な説明】
【００３３】
【図１】本発明に係るパチンコ機（弾球遊技機）を有して構成される遊技島構造を示す正面図である。
【図２】上記遊技島構造の背面図である。
【図３】上記遊技島構造の側面図である。
【図４】本発明の実施形態に係る球排出ガイド装置を取り付けた状態のパチンコ機の下部を示す正面図である。
【図５】上記実施形態に係る球排出ガイド装置を取り付けた状態の上記パチンコ機の下部を示す斜視図である。
【図６】上記実施形態に係る球排出ガイド装置を取り付けるとともに球排出ガイド部材を排出位置に位置させた状態の上記パチンコ機の下部を示す平面図である。
【図７】上記実施形態に係る球排出ガイド装置を取り付けるとともに球排出ガイド部材を閉塞位置に位置させた状態の上記パチンコ機の下部を示す平面図である。
【図８】上記実施形態に係る球排出ガイド装置を取り付けるとともに球排出ガイド部材を排出位置に位置させた状態の上記パチンコ機の下部を図４の矢印VIII−VIIIに沿って示す断面図である。
【符号の説明】
【００３４】
ＰＭ  パチンコ機
５  球回収空間
６  回収通路
１０  遊技島構造体
１３  保持枠
１４  天板
２０  外枠
２４  下枠板
２５  幕板
２２６  取付凹部
２２７  ガイド壁
３０  前枠
４０  上球皿装置
４２  排出レバー
５０  下球皿装置
５１  下球皿部
５１ａ  球排出孔
５３  球抜き蓋
５３ａ  操作レバー
９０  球排出ガイド装置
９１  球排出ガイド部材
９２  前面壁
９７  ロックキー
９７ａ  ロック板
９１ａ  受容空間
２２８  矩形枠
【図１】
2005287858.tif 000003
【図２】
2005287858.tif 000004
【図３】
2005287858.tif 000005
【図４】
2005287858.tif 000006
【図５】
2005287858.tif 000007
【図６】
2005287858.tif 000008
【図７】
2005287858.tif 000009
【図８】
2005287858.tif 000010